(57)【要約】【課題】作業環境や対象部材の材質等によって最も作業しやすい明るさで作業することができるＬＥＤライトを搭載した電動工具。【解決手段】工具本体１に、電動モータ５と、該電動モータ５によって駆動される作動機構と、上記電動モータ５に電力を供給する充電池２と、電動モータ５を起動操作するトリガスイッチ３と、上記トリガスイッチ３と連動して照射するＬＥＤ（発光ダイオード）ライトとを設けた電動工具において、ＬＥＤライト１３と上記充電池とを接続する回路を制御する制御部１７には複数の照度を選択する照度調整スイッチ１５を接続し、この照度調整スイッチ１５により選択されたデューティ比でＬＥＤライト１３をオンさせて照度を調整する。【選択図】図２
2011104709.tif 000002
【特許請求の範囲】
【請求項１】
工具本体１に、電動モータと、該電動モータによって駆動される作動機構と、上記電動モータに電力を供給する充電池と、電動モータを起動させるトリガスイッチと、上記トリガスイッチと連動して照射するＬＥＤ（発光ダイオード）ライトとを設けた電動工具において、
上記ＬＥＤライトと上記充電池とを接続する回路を制御する制御部には複数の照度を選択する照度調整スイッチを接続し、この照度調整スイッチにより選択されたデューティ比で上記ＬＥＤライトをオンさせて照度を調整する
ことを特徴とする電動工具。
【請求項２】
工具本体に、電動モータと、該電動モータによって駆動される作動機構と、上記電動モータに電力を供給する充電池と、電動モータ５を起動させるトリガスイッチと、上記トリガスイッチと連動して照射するＬＥＤ（発光ダイオード）ライトとを設けた電動工具において、
上記ＬＥＤライトと上記充電池とを接続する回路には、抵抗値の異なる複数の抵抗を並列に設け、各抵抗を制御する制御部には照度を選択する調整スイッチを接続し、照度調整スイッチによって上記いずれかの抵抗を選択してＬＥＤライトに流れる電流を制御し、照度を調整する
ことを特徴とする電動工具。
【請求項３】
上記制御部は、上記トリガスイッチがオフされて一定時間経過後に上記ＬＥＤライトを消灯させることを特徴とする、請求項１又は２に記載の電動工具。
【発明の詳細な説明】
【技術分野】
【０００１】
本発明は、作業対象となる場所を明るく照らすとともに照度調整が可能なＬＥＤ（発光ダイオード）ライトを搭載した電動工具に関する。
【背景技術】
【０００２】
一般に、インパクトドライバ等の電動工具には充電池が備えられ、そこから供給された電力によってモータ及び回転打撃機構を作動させ、ネジの締め込み等を行っている。
【０００３】
ところが、最近は暗い場所でも正確にネジ等を打ち込むことができるようにＬＥＤライトを装備し、充電池からの電力によってＬＥＤライトを点灯してネジの打ち込み等の作業をするときに、手元や作業対象部材などを照射することで作業性を向上させることができるようになっている。このように、照度を上げることでＬＥＤライトの効用を拡大しようとしてきた。
【先行技術文献】
【特許文献】
【０００４】
【特許文献１】特開２００９−７８３５４号公報
【発明の概要】
【発明が解決しようとする課題】
【０００５】
しかしながら、実際には、例えば、対象部材が金属などのように反射しやすい部材である場合や、ＬＥＤライトで照射した際の反射光が直接に眼に入る位置で作業する場合は、かえって眩しい。また、作業環境が暗いと、ＬＥＤライトに照射された部位は相対的に明るくなるので、むしろ眩しく感じる。この用に、単にＬＥＤライトの照度を上げるというだけでは、対象部材自体の材質、周囲との相対的照度差、反射光などで眩しいことがあり、このような場合は、作業対象となる場所を明るくして作業効率を上げようとしたにもかかわらず、かえって作業しにくくなることがある。
【０００６】
本発明は上記問題点を解消し、作業環境や対象部材の材質等によって最も作業しやすい明るさで作業することができるＬＥＤライトを搭載した電動工具を提供することをその課題とする。
【課題を解決するための手段】
【０００７】
上記課題を解決するため、請求項１に係る発明は、工具本体に、電動モータと、該電動モータによって駆動される作動機構と、上記電動モータに電力を供給する充電池と、電動モータを起動させるトリガスイッチと、上記トリガスイッチと連動して照射するＬＥＤ（発光ダイオード）ライトとを設けた電動工具において、上記ＬＥＤライトと上記充電池とを接続する回路を制御する制御部には複数の照度を選択する照度調整スイッチを接続し、この照度調整スイッチにより選択されたデューティ比で上記ＬＥＤライトをオンさせて照度を調整することを特徴とする。
【０００８】
請求項２に係る発明は、工具本体に、電動モータと、該電動モータによって駆動される作動機構と、上記電動モータに電力を供給する充電池と、電動モータを起動させるトリガスイッチと、上記トリガスイッチと連動して照射するＬＥＤ（発光ダイオード）ライトとを設けた電動工具において、上記ＬＥＤライトと上記充電池とを接続する回路には、抵抗値の異なる複数の抵抗を並列に設け、各抵抗を制御する制御部には照度を選択する調整スイッチを接続し、照度調整スイッチによって上記いずれかの抵抗を選択してＬＥＤライトの電流を制限し、照度を調整することを特徴とする。
【０００９】
請求項３に係る発明は、請求項１又は２において、上記制御部は、上記トリガスイッチがオフされて一定時間経過後に上記ＬＥＤライトを消灯させることを特徴とする。
【発明の効果】
【００１０】
請求項１に係る発明によれば、ＬＥＤライトと上記充電池とを接続する回路を制御する制御部には複数の照度を選択する照度調整スイッチを接続し、この照度調整スイッチにより選択されたデューティ比で上記ＬＥＤライトをオンさせて照度を調整する構成であるから、対象部材自体の材質、周囲との相対的照度差、反射光などで眩しいことがあっても、ＬＥＤライトの照度を調整することによって最も作業しやすい明るさで作業することができる。したがって、作業性が向上する。
【００１１】
請求項２に係る発明によれば、ＬＥＤライトと上記充電池とを接続する回路には、抵抗値の異なる複数の抵抗を並列に設け、各抵抗を制御する制御部には照度を選択する調整スイッチを接続し、照度調整スイッチによって上記いずれかの抵抗を選択してＬＥＤライトに流れる電流を制御し、照度を調整する構成であるから、対象部材自体の材質、周囲との相対的照度差、反射光などで眩しいことがあっても、ＬＥＤライトの照度を調整することにより、最も作業しやすい明るさで作業することができ、作業性を向上させることができる。
【００１２】
請求項３に係る発明によれば、上記制御部は、上記トリガスイッチがオフされて一定時間経過後に上記ＬＥＤライトを消灯させるから、無駄な電力が節減されるとともに、トリガレバーから指を離しても一定の時間はＬＥＤライトは点灯しているから、暗闇でもネジの締め込み作業を行うことができる。
【図面の簡単な説明】
【００１３】
【図１】本発明の実施形態であるインパクトドライバの断面図
【図２】ＬＥＤライトを制御するためのブロック図
【図３】ＬＥＤライトを制御するためのフローチャート図
【図４】ＬＥＤライトを制御するための他の実施形態のブロック図
【発明を実施するための形態】
【００１４】
（実施形態１）
本発明の実施形態をインパクトドライバについて説明する。図１はインパクトドライバの一部の断面図で、同図において符号１はドライバ本体（工具本体）を示す。ドライバ本体１の下部にはグリップ２が形成され、グリップ２にはトリガスイッチ３が配置されている。グリップ２の下部には電池パック取付部２ａが形成され、この電池パック取付部２ａには電池パック４が着脱自在に設けられている。
【００１５】
ドライバ本体１は筒状に形成され、前部のモータ部１ａと後部の動力伝達部１ｂとから構成されている。
【００１６】
モータ部１ａには、動力伝達部１ｂの動力源として回転力を供給する電動モータ（ＤＣブラシレスモータ）が設けられている。このＤＣブラシレスモータ５については後に詳述する。
【００１７】
動力伝達部１ｂの内部には、電動モータ５の回転軸６と同軸上に、後ろ側から順に遊星歯車機構７、スピンドル８、打撃機構９及びアンビル１０が直列に設けられている。アンビル１０の先端部にはドライバビット（図示せず）が装着可能になっている。これにより、電動モータ５の回転が遊星歯車機構７によって減速回転されてスピンドル８に伝達され、さらにスピンドル８の回転がハンマー１１や圧縮バネ１２等から構成されて打撃力を発生させる打撃機構９によって回転打撃力に変換され、この回転打撃力が、ハウジングに回転自在に支持されたアンビル１０に伝えられる。動力伝達部１ｂの構造は公知である。
【００１８】
次に、電池パック取付部２ａにはＬＥＤライト１３が設けられている。このＬＥＤライト１３は、ドライバビットの先端部を中心にその周囲を照射するように設定され、トリガスイッチ３の引き離しによるオンオフと連動するように構成されているが、さらに別途照度調整スイッチ１５が設けられ、この照度調整スイッチ１５によりＬＥＤライト１３をオンさせるデューテイ比を変更してその照度を調整することができるようになっている。
【００１９】
すなわち、図２のブロック図に示されるように、ＬＥＤライト１３と充電池とを接続する回路にはトランジスタ１６と制御部（マイクロコンピュータ）１７が接続され、制御部１７にトリガスイッチ３が接続されている。また、制御部１７には、照度を選択する照度調整スイッチ１５が接続されている。照度調整スイッチ１５はボタンスイッチ（タクトスイッチ）で、押すたびにデューテイ比が１段階ずつ下がり、最も低い段階から押すと再び最も高い段階に戻るように設定されている。すなわち、最初に押したときのデューテイ比が１００％であるとしたとき、もう一度押すとデューテイ比が７５％に下がり、さらに押すとデューテイ比が５０％に下がり、もう一度押すと再び１００％に戻って繰り返すように設定されている。なお、照度調整スイッチ１５を押すたびにデューテイ比が上がるように設定してもよい。制御部１７は、設定されたデューテイ比に応じたパルス幅のパルスを出力し、トランジスタ１６が出力されたパルス幅で回路に流れる電流のオンオフを切り替える。これによって、ＬＥＤライト１３がデューテイ比に応じた照度で狙った場所を照射することができる。
【００２０】
なお、制御部１７にはデューテイ比を記憶する記憶手段１９が設けられている。さらに、記憶手段１９には、トリガスイッチ３がオフされた後、一定時間（例えば７秒）経過後にＬＥＤライト１３の回路に電流が流れないようにすることが記憶されている。また、制御部１７にはドライブ回路を介して電動モータ５も接続されている。
【００２１】
次に、上記構成のインパクトドライバの作動態様を図３に示すフローチャートに基づいて説明する。まず、トリガスイッチ３を引き操作してトリガスイッチ３をオンすると、制御部１７が電動モータ５を回転させ、その回転力が上述のように動力伝達部１ｂからドライバビットに伝達されるとともに、記憶手段１９に記憶されたデューテイ比を読み出して点灯する。そして、照度調整スイッチ１５が押されたかどうかを監視し、押されていなければ、トリガスイッチ３がオフされたか（トリガスイッチ３から指を離した）どうかを監視し、トリガスイッチ３がオフされれば、電動モータ５を停止させ、さらにトリガスイッチ３のオフから一定時間経過すると、ＬＥＤライト１３を消灯させる。
【００２２】
これに対し、照度調整スイッチ１５が押されると、デューテイ比を小さく（又は大きく）変更し、記憶手段１９がデューテイ比を更新して記憶するとともに、制御部１７が更新したデューテイ比でＬＥＤライト１３を点灯させる。さらに、照度調整スイッチ１５が押されると、デューテイ比をさらに小さく（又はさらに大きく）変更し、デューテイ比を更新して記憶するとともに、更新したデューテイ比でＬＥＤライト１３を点灯させる。このステップを繰り返して、所望の照度が選択されて照度調整スイッチ１５が押されなくなると、トリガスイッチ３がオフされたか（トリガスイッチ３から指を離した）どうかを監視する。そして、トリガスイッチ３から手を離してトリガスイッチ３がオフされると、電動モータ５の作動が停止させ、さらにトリガスイッチ３のオフから一定時間経過したかどうかを監視し、一定時間が経過すればＬＥＤライト１３を消灯させる。
【００２３】
なお、照度調整スイッチ１５はボタン式でもダイヤル式でも他の方式でもよい。
【００２４】
上述の構成によれば、ＬＥＤライト１３の照度を調整することができるので、対象部材自体の材質、周囲との相対的照度差、反射光などで眩しいことがあっても、最も作業しやすい明るさで作業することができる。したがって、作業性が向上する。
【００２５】
また、トリガスイッチ３がオフした後、一定時間が経過すればＬＥＤライト１３を消灯するから、無駄な電力が節減されるとともに、トリガスイッチ３から指を離しても一定の時間はＬＥＤライト１３は点灯しているから、暗闇でもネジの締め込み作業を行うことができる。まず、いったんトリガスイッチ３を引いてＬＥＤライト１３を点灯させた後に離し、その後一定時間が経過する前にドライバビットの先端をネジ頭の溝に係合させ、その後再びトリガスイッチ３を引き操作してドライバビットを回転駆動させることができる。このネジの締め込み作業が終了したら、さらに一定時間が経過する前に同様にしてドライバビットの先端を次のネジ頭の溝に係合させればよい。したがって、暗闇でもネジの締め込み作業を連続して確実に行うことができる。
（実施形態２）
【００２６】
ＬＥＤライト１３の照度調整は、図４のブロックに示されるように、前述と同じくＬＥＤライト１３を設けたインパクトドライバにおいて、ＬＥＤライト１３と充電池とを接続する回路には、抵抗値の異なる第１の抵抗２０と第２の抵抗２１を並列に設け、各抵抗２０、２１はトランジスタ１６ａ、１６ｂを介して制御部１７に接続されている。また、制御部１７には照度を選択する照度調整スイッチ１５が接続され、照度調整スイッチ１５によって上記第１の抵抗２０と第２の抵抗２１のいずれかを選択してＬＥＤライト１３の電流を制限するように構成してもよい。なお、ここでは第１の抵抗２０は第２の抵抗２１よりも抵抗値が小さいものとする。照度調整スイッチ１５はタクトスイッチで、制御部１７では照度調整スイッチ１５が押されるたびに記憶手段１９に第１の抵抗２０と第２の抵抗２１の抵抗値が更新されて記憶される。さらに、記憶手段１９には、トリガスイッチ３がオフされた後、所定時間（例えば７秒）経過後にＬＥＤライト１３の回路に電流が流れないようにすることが記憶されている。
【００２７】
次に、上記構成の照度調整機構を説明するが、本実施形態２が実施形態１と異なる点は、デューテイ比を変更して電流を流すことに代え、第１の抵抗２０と第２の抵抗２１のいずれかに電流を流すことに変更するだけなので、図３のフローチャートを援用しながら説明する。
【００２８】
トリガスイッチ３を引き操作してトリガスイッチ３をオンすると、電動モータ５が回転し、制御部１７が電動モータ５を回転させ、その回転力が上述のように動力伝達部１ｂからドライバビットに伝達されるとともに、記憶手段１９に記憶された抵抗（例えば第１の抵抗２０）に電流を流してＬＥＤライト１３を点灯させる。そして、照度調整スイッチ１５が押されたかどうかを監視し、押されていなければ、トリガスイッチ３がオフされたかどうかを監視し、トリガスイッチ３がオフされれば、電動モータ５を停止させ、さらにトリガスイッチ３のオフから一定時間経過すると、ＬＥＤライト１３を消灯させる。
【００２９】
これに対し、ＬＥＤライト１３が明るすぎて、少し暗くするように変更するときは、照度調整スイッチ１５を押す。これにより、制御部１７は記憶手段１９が記憶する抵抗値を第２の抵抗２１の抵抗値に更新して第２の抵抗２１に電流を流してＬＥＤライト１３を点灯させる。第２の抵抗２１の抵抗値は第１の抵抗２０の抵抗値よりも大きいので、より少ない電流が流れ、狙った場所がより暗くなる。再び照度調整スイッチ１５が押されると、第１の抵抗２０が選択されるので、記憶手段１９が再び第１の抵抗２０の抵抗値を記憶するするとともに、更新した第１の抵抗２０に電流を流してより明るくなるようにＬＥＤライト１３を照射させる。このようにして、所望の照度が選択されて照度調整スイッチ１５が押されなくなると、トリガスイッチ３がオフされたかどうかを監視し、トリガスイッチ３がオフされると、電動モータ５の作動が停止する。
【００３０】
さらに、トリガスイッチ３から指を離してトリガスイッチ３がオフした後、一定時間経過したかどうかを監視し、一定時間が経過すればＬＥＤライト１３を消灯する。
【００３１】
上述の構成によっても、ＬＥＤライト１３の照度を調整することができるので、対象部材自体の材質、周囲との相対的照度差、反射光などで眩しいことがあっても、最も作業しやすい明るさで作業することができ、作業性を向上させることができる。
【００３２】
また、トリガスイッチ３がオフした後、一定時間が経過すればＬＥＤライト１３を消灯するから、無駄な電力が節減されるとともに、トリガスイッチ３から指を離しても一定の時間はＬＥＤライト１３は点灯しているから、暗闇でもネジの締め込み作業を行うことができる。
【符号の説明】
【００３３】
１    ドライバ本体（工具本体）
２    電池パック（充電池）
３  トリガスイッチ
５    電動モータ
１３  ＬＥＤライト
１５  照度調整スイッチ
１７  制御部（マイクロコンピュータ）
【図１】
2011104709.tif 000003
【図２】
2011104709.tif 000004
【図３】
2011104709.tif 000005
【図４】
2011104709.tif 000006